(57)【要約】  本発明は、ハンドル（２）と、ハンドルに接続されるヘッド（６）で、刃先（１０）を有する刃（８）が配置されるヘッド（６）とを備え、刃先（１０）に当てられる花茎の端部領域がハンドル（２）に加えられた引張力によって剪定または切断可能であるフラワートリマーに関する。フラワートリマーは、ほとんど設計努力を要することなく、操作しやすく、花茎の剪定または切断を容易に行うことができるように改良される必要がある。そのために、ヘッド（６）が前端に開口部（１１）を備え、花茎がその開口部（１１）を通ってヘッド（６）にほぼ軸方向に挿入されて、刃先（１０）を有する刃（８）を越えて案内されることが提案される。ヘッド（６）において、開口部（１１）に続いて空洞（１２）が設けられ、前記空洞を刃（８）が横断し、および／または刃の刃先（１０）が少なくとも空洞へと伸びる。
2013518567.tif 000002
【特許請求の範囲】
【請求項１】
ハンドル（２）と、ハンドルに接続されるヘッド（６）で、刃先（１０）を有する刃（８）が配置されるヘッド（６）とを備え、刃先（１０）に当てられる花茎の端部領域がハンドル（２）に加えられた引張力によって剪定または切断可能であるフラワートリマーであって、
ヘッド（６）は、前端に開口部（１１）を備え、花茎はその開口部（１１）を通ってヘッド（６）にほぼ軸方向に挿入されて、刃先（１０）を有する刃（８）を越えて案内されることが可能であり、および
空洞（１２）がヘッド（６）内の開口部（１１）に続いて設けられ、前記空洞を刃（８）が横断し、および／または、少なくとも刃の刃先（１０）が前記空洞へと伸びること
を特徴とするフラワートリマー。
【請求項２】
開口部（１１）および／または空洞（１２）が、特に、外側への動きまたは側方へのずれが防がれるように、長手方向軸（１８）に垂直な花茎のガイドとして設計されること、および／または、空洞（１２）は、ほぼ長手方向軸（１８）方向に伸び、ヘッド（６）の前端に開口部（１１）を含む長手方向溝として設計されること、および／または、ヘッド（６）は、好ましくは狭窄領域（４）によってハンドル（２）に接続されることを特徴とする、請求項１に記載のフラワートリマー。
【請求項３】
空洞（１２）が、長手方向ガイドとして設計される、および／または、フラワートリマーの正面の領域で半径方向に開口するように設計されること、および刃（８）は正面近くに配置され、開口空洞（１２）を横断し、および／または少なくとも刃先（１０）が空洞（１２）および／または長手方向溝に伸びることを特徴とする、請求項１または請求項２に記載のフラワートリマー。
【請求項４】
ヘッド（６）が、少なくとも１つ、好ましくは、正面近くで互いに正反対に位置する２つの幅広領域（３２）で、刃（８）の締結要素（３０）に使用される幅広領域（３２）を備え、幅広領域（３２）は、好ましくは、半月状または球根状であること、および／または、ヘッド（６）は、少なくとも刃（８）の近くがほぼＵ字形の断面を有することを特徴とする、請求項１から３のいずれか一項に記載のフラワートリマー。
【請求項５】
ヘッド（６）および／または空洞（１２）が、花茎が刃先（１０）に当たるように支えるために傾斜面または曲面（４８）が設けられ、そこで花茎は曲げられ、特に、バネのように湾曲して刃先（１０）に当たること、および／または曲線または曲線領域（４８）は、Ｓ字状曲線および／またはダブルＳ字波状に設計され、好ましくはダブルＳ字状ガイドへと移行する側方のほぼ半円形またはＵ字形のガイドが設けられることを特徴とする、請求項１から４のいずれか一項に記載のフラワートリマー。
【請求項６】
ヘッド（６）が、好ましくは、刃先（１０）の近くで刃先（１０）の側方に切欠き（３８）を備えること、および／または、ヘッド（６）は、前端（７）に、少なくとも１つの刻み目（３９、３９’）および／またはウェブ（３７）を備えることを特徴とする、請求項１から５のいずれか一項に記載のフラワートリマー。
【請求項７】
ハンドル（２）が、刻み目および／または凹状窪み（２２）を備えること、および／または、特に狭窄領域（４）により十分な可撓性および／または弾性が与えられて、刃（８）の切断角が、特に凹状窪み（２２）の領域に作用する圧力によって変更および／または規定可能であり、前記圧力は、好ましくは、親指によって加えられることを特徴とする、請求項１から６のいずれか一項に記載のフラワートリマー。
【請求項８】
狭窄領域（４）が、半月状または半円形または長方形またはＵ字形または楕円形の断面に設計されて、側面から見た材料厚（２６）は正面から見た材料厚より薄いこと、および／または、狭窄領域（４）は、２つ以上の狭窄に分割されることを特徴とする、請求項１から７のいずれか一項に記載のフラワートリマー。
【請求項９】
刃（８）が、クイックチェンジシステムによってヘッド（６）に接続され、刃は、特に、曲げることでヘッド（６）に配置でき、最終位置になるまで真っ直ぐ引き伸ばされること、および／または、特にヘッドの材料内にスタッド（５０）が設けられ、刃（８）は対応する切欠きを備えること、および／または、刃（８）は、フィルムヒンジなどによってヘッド（６）に固定または取り付けられること、および／または、バネ（５２）は刃（８）とヘッド（６）との間に配置されることを特徴とする、請求項１から８のいずれか一項に記載のフラワートリマー。
【請求項１０】
締結要素（３０）の近くおよび／またはスタッド（５０）の近くの刃（８）の材料が、刃（８）の留め具および／またはサスペンションの所定の間隔が可撓性をもたらすように設計されるように、薄い材料に規定されることを特徴とする、請求項１から９のいずれか一項に記載のフラワートリマー。
【請求項１１】
刃（８）が、長手方向軸（１８）に対する所定の角度（１６）で配置され、角度は、有利には８°〜１８°、好ましくは１０°〜１５°、特に少なくとも約１２°になるように規定され、刃先（１０）はハンドル（２）の方向を向くことを特徴とする、請求項１から１０のいずれか一項に記載のフラワートリマー。
【請求項１２】
突出部（４０）を備える刃（８）が、前記部分（４０）の側にスロット（４４）を備え、スロットは、締結要素（３０）を使用して締結するために設けられ、前記スロットは刃先（１０）とほぼ平行に伸びることを特徴とする、請求項１から１１のいずれか一項に記載のフラワートリマー。
【請求項１３】
刃先（１０）が、花茎がヘッド（６）および／または空洞（１２）のほぼ中心で保持されるように凹状に設計される、あるいは、凸状の刃が設けられることを特徴とする、請求項１から１２のいずれか一項に記載のフラワートリマー。
【請求項１４】
刃先（１０）が、ヘッド（６）の材料の近くおよび／または刃先（１０）がヘッド（６）の材料に接触する領域に切欠き（３６）を備えることを特徴とする、請求項１から１３のいずれか一項に記載のフラワートリマー。
【請求項１５】
刃（８）が、少なくとも片側に延長部（４０）を有し、前記延長部は所定の長さ（４２）だけヘッド（６）を越えて突出すること、および／または、突出部（４０）を有する刃（８）または突出部のない刃（８）は選択的にヘッド（６）に接続される、または接続可能であることを特徴とする、請求項１から１４のいずれか一項に記載のフラワートリマー。
【請求項１６】
刃（８）が、所定の薄い厚さ、好ましくは、０．１ｍｍ〜０．８ｍｍ、特に０．１５ｍｍ〜０．６ｍｍの厚さを有することを特徴とする、請求項１から１５のいずれか一項に記載のフラワートリマー。
【発明の詳細な説明】
【技術分野】
【０００１】
本発明は、請求項１のプリアンブルに示される特徴に従うフラワートリマーに関する。
【背景技術】
【０００２】
フラワートリマーは、独国特許出願公開第３１４０２８０号明細書で周知であり、ハンドルと花茎を切断するための刃を備えるヘッドとを有するハンドヘルド器具として設計されている。刃およびその刃先は、ハンドルの長手方向軸に対して角度を成して配置され、刃とハンドルとの間の側方スリットがあり、花茎を横からスリットに挿入して刃の所まで引き上げることができる。花から離れる方向にハンドルを引くまたはハンドルに引張力を加えることで、花茎の末端領域を剪定または切断することができる。しかしながら、その過程で、花茎は横方向にそれて、不十分に切断される、または花茎が意図せずに傷ついてしまう可能性がある。また、すでに花束にされた花を剪定または切断するのはかなり難しく、それにはかなりの時間がかかる可能性がある。
【先行技術文献】
【特許文献】
【０００３】
【特許文献１】独国特許出願公開第３１４０２８０号明細書
【発明の概要】
【発明が解決しようとする課題】
【０００４】
本発明の目的は、上述のタイプのフラワートリマーを、ほとんど設計努力を要することなく、操作しやすく、花茎の剪定または切断を容易に行うことができるように改良することである。さらに、花茎を刃に持っていく人間工学および切断の人間工学が改良されることになる。
【課題を解決するための手段】
【０００５】
上述の目的は、請求項１の特徴によって達成される。
【０００６】
本発明のフラワートリマーは、単純で機能的な設計を特徴とし、操作しやすくする。花茎は、実質的に軸方向に、ヘッドの自由前端部に位置する開口部へと挿入され、さらに深く挿入する時に、主に、切断時に、花茎はヘッドによって横方向にそれないように保たれる。簡単な方法で、刃の近くのフラワートリマーのヘッドに設けられた長手方向ガイドによって花茎の端部は容易に刃まで案内され、さらに、剪定および／または切断が角度を成して行われる時に、適切な切断が確実に行われる。一般に、園芸家または花卉業者のような花卉専門家、さらに一般の人によって使用される用語「剪定」は、花茎の端部、および必要な場合には、花茎の大部分を花茎の長手方向軸に対して角度を成す切断面で完全に切断することを含む。長手方向ガイドは、好ましくは、ヘッドの端部の方向に開口する溝として設計され、刃または刃の刃先はこの溝の上に位置する。ハンドル、狭窄領域およびヘッドはプラスチック製で、一体構造であるのが好ましい。有利には、刃は、ハンドルを通る長手方向軸が少なくともほぼ刃先を通るように配置され、それにより手による引張力を最適に加えることができ、長手方向または横方向に関係なく意図しないずれを防ぎ、円滑に切断することができる。
【０００７】
さらに、傾斜面または曲面は、花茎を刃先に当たるのを容易に案内できるように長手方向ガイドおよび／または溝の近くに配置されるのが好ましい。曲面または傾斜面は、ヘッド内に配置され、および／または長手方向ガイドの出口および／または長手方向ガイドの外側への移行部になる。花茎がヘッドに挿入されると、花茎はバネのように刃先に当たるようにヘッドによって曲げられる。特に有利であることが証明されているのは、Ｓ字曲線状ガイドまたはダブルＳ字波状もしくはダブルＳ字状ガイドへと移行するＵ字状のガイドであり、これにより、花茎を容易に両方向に引き抜いたり押し込んだりすることができる。長手方向ガイド、特に、上述の傾斜面またはＳ字状曲面またはダブルＳ字波形面と組み合わせた長手方向ガイドによって、操作性が大幅に向上されるので、特別な器用さや経験は必要でない。刃は、特に、２つのねじまたは他の接続手段によってフラワートリマーのヘッドに取り外し可能に接続されるので、必要に応じて容易に交換可能である。
【０００８】
刃は、フラワートリマーのヘッドに選択的に接続可能な２つ形態で設計される。第１の形態では、刃の幅がヘッドの幅にほぼ等しい刃であり、第２の形態では、刃はヘッドの片側から伸び、刃先も同じ側にある。第２の形態は、とげや葉を取り除く際に最適な操作、さらに特に花茎の切断の際に斜めに剪定するのに適している。ヘッドは、刃のねじまたは他の接続要素を支持または固定するために、少なくとも刃の近くに、好ましくは横方向に幅広領域を備え、幅広領域は、半月状または球根状である。開口部および／または長手方向ガイドを除いて、ヘッドは閉じたおよび／またはほぼ滑らかな外表面を有する。このことは、さらに、特に束ねた花束の場合の操作性を向上させる。
【０００９】
特殊な形態および改良点は、従属請求項および以下の例示的な実施形態の説明に示されている。
【００１０】
本発明を、図面に示されている例示的な実施形態を使用して以下に詳細に説明する。本説明は本発明が限定されることを示すものではない。
【図面の簡単な説明】
【００１１】
【図１】フラワートリマーを正面から見た図である。
【図２】側面図である。
【図３】斜視図である。
【図４】図１の矢印Ａから見た図である。
【図５】側方に伸ばされた刃を有する図１の図である。
【図６】図５の視線Ｂに沿って見た図である。
【図７】フラワートリマーの長手方向断面図である。
【図８】刃のない図１の図である。
【図９】切断線ａ、ｂ、ｃ、ｄに沿った長手方向軸に垂直な断面図である。
【図１０】本発明のフラワートリマーの特殊な形態を示す図である。
【図１１】本発明のフラワートリマーの特殊な形態を示す図である。
【図１２】本発明のフラワートリマーの特殊な形態を示す図である。
【発明を実施するための形態】
【００１２】
図１〜図４に示されているように、フラワートリマーは、ハンドル２と狭窄領域４とヘッド６とを含み、これらは一体部品として、特に、プラスチックで製造される。フラワートリマー、特にハンドル２は、人間工学的形状であり、ほぼ滑らかな表面を有し、外面輪郭は丸みを帯びたデザインで、エッジまたは急な移行部分は特に避けられる。図１では正面に、刃先１０を有する刃８がヘッド６に固定される。ヘッド６の前端７には、開口部１１と、それに続いて、軸方向内側に伸びる空洞１２があり、空洞は、特に、長手方向軸１８に垂直に開口する溝１２として設計される。花茎は、開口部１１を通って空洞１２へと軸方向に押し込まれ、空洞１２はガイドを形成する。本発明によれば、花茎の端部は、空洞または長手方向ガイド１２に矢印１４の方向に挿入される。
【００１３】
刃８は、長手方向ガイド１２を横断し、ハンドルの長手方向軸１８に対して角度１６を成して配置され、刃先１０はハンドル２の方向を向く。角度１６は、８°〜１８°、好ましくは１０°〜１５°、特に少なくとも約１２°になるように規定される。フラワートリマーは、長さ２０を有し、この長さは、有利には、１２ｃｍ〜１８ｃｍ、好ましくは１４ｃｍ〜１７ｃｍ、特に少なくとも約１５ｃｍになるように規定される。ハンドル２は、正面に手の親指用の凹状窪み２２を含み、刃の切断角は、親指の圧力を多少使用して変更可能である。窪みは人間工学的に設計されるのが有益である。フラワートリマーは、狭窄領域４があるために、十分に可撓性および／または弾性があるので、ヘッド６は、矢印２４で示されるように、所定角度でハンドル２に対して動くことができる。狭窄領域の断面積は、半月状、半円形、長方形、Ｕ字形、または楕円のデザインにして、横から見た（図２）材料厚２６が正面から見た（図１）材料厚２８より薄くなるのが有益である。あるいは、狭窄領域４は、複数の狭窄に分割されてもよい。上述したようなヘッド６の可動性に対して所望の弾性は、狭窄領域４または複数の狭窄があることで、それぞれ規定される。一方、図５を参照して以下で説明するように、側方に突出した刃の場合に、十分な安定性が規定される。安定性は、右利きの人および左利きの人の両方に対して規定され、側方の刃が切断時に引く方向から逆方向へずれないようにする、および／または刃が意図しない偏位運動を引き起こさないようにする。
【００１４】
刃８は、基本的には、刃８の関連穴３１を通るねじとして設計された締結要素３０によってヘッドに固定され、必要に応じて、刃８はヘッド６から取り外されて交換できる。図１に示されるように、ヘッド６は、刃８の近くに、好ましくは、半月状または球根状の側方幅広領域３２を含む。ヘッド８の外面形状輪郭は、束ねた花束の場合に、フラワートリマーが容易に隣の花茎を滑るように通過することができるように、正面領域はほぼ凸状および／または丸みを帯びている。また、側面図（図２）から明らかなように、ヘッド６は、同じく、束ねた花束の場合に、容易にヘッドを花茎に対して動かすことができるように、比較的小さい深さ寸法３４を有する。
【００１５】
刃８は、刃先１０と、ヘッドまたはヘッドの幅広領域３２の支持領域との間に、切欠き３６を含む。切欠き３６は、刃とヘッドの材料、特にプラスチックとの間に植物の繊維が絡まるのを防ぐ。同じ理由から、有利には、ヘッド６もこの領域および／または刃先の近くの側面に切欠き３８を含む。また、刃８は、非常に薄くなるように、好ましくは、０．１ｍｍ〜０．８ｍｍ、特に、０．１５ｍｍ〜０．６ｍｍの厚さになるように作られることが重要である。このように薄い刃は、花茎を非常に容易に滑ることができる上に、非常に弾性もある。この弾性により、硬質材料、特に、脆弱なカミソリ鋼の材料が破損するのを防ぐことができる。
【００１６】
代替形態では、刃を工具やねじなしで固定できるようにクイックチェンジシステムが設けられる。このシステムでは、刃を曲げて関連レセプタクルに入れることで、刃はヘッドに配置され、刃を真っ直ぐに引き伸ばすことで刃が保持されるような最終位置に押し込まれる。また、刃の切欠きが刃をヘッドに確実に配置できるようにする。さらに、取り付けのためにフィルムヒンジなどが設けられてもよい。
【００１７】
本発明の特殊な形態は、図１〜３に破線で示されている、すなわち、ヘッド６の前端部７の近くの少なくとも１つまたは複数の刻み目３９、３９’が示されている。これらの刻み目３９、３９’は、ヘッド６の材料を前端部７の位置で、半径方向外表面から空洞１２まで貫通する。１つまたは複数の刻み目３９、３９’’は、丸みを帯びた輪郭、例えば、図１では半円形の輪郭を有するのが好ましく、放物線状または楕円形の輪郭なども代替として本発明の範囲内で可能である。１つまたは複数の刻み目３９、３９’は、ヘッド６の前縁から、ハンドル２に向かって伸びる。少なくとも２つのこのような刻み目３９、３９’が周方向に長手方向軸に対して互いに隣り合って配置されている場合に、ウェブ３７が周方向に２つの刻み目の間に、および／または空洞１２の方向に向けて配置され、また、ウェブは長手方向軸１８に対して側方のホーンまたは歯４１と見なされる。あるいは、本発明の範囲では、このウェブ３７または歯４１は、図２に示されるように、ヘッド６の前縁を越えて突出するように作られる。花茎をフラワートリマーに対して長手方向軸１８を中心として回転させることによって、有利には、とげ、特に、バラのとげが横方向に押されて外され、および／または完全に除去される。
【００１８】
図５および図６は、刃８が突出する、または刃の一部４０が所定の長さ４２だけヘッド６の外面輪郭を越えて側方に伸びる一実施形態を示している。この実施形態は、特に、花卉専門家に向いており、葉やとげを除去する、または太い茎の花を剪定することができる。一方、最初に説明した実施形態は、特に、花卉専門家から、一般にすでにとげが除去された花またはバラを受け取り、単に短くするために、特に、束ねた花束を短くするためにフラワートリマーを家で使用する顧客に向いている。この場合、側方の延長部があるのは不都合で、けがをする危険性を防ぐことができなくなる。一方、代替として両側に延長した刃を含む実施形態は、花卉専門家にとっては、人間工学的に葉を切断し短くすることができるので有利である。この点に関して、本発明にとって重要なのは、それぞれの用途や使用目的に合うように、正確に調整され設計された刃がフラワートリマーのヘッドに固定および／または取り付けられるということである。
【００１９】
側方に延長した刃に関して、半月状または球根状の幅広領域３２が特に重要である。幅広領域３２は、側方に突出する刃または刃の一部４０を切断される材料に対してさまざまな角度で容易に案内するため、および花茎にほぼ平行にハンドル２を容易に案内するためのストップを形成する。さらに、フラワートリマーは、右利きの人および左利きの人の両方に向いており、側方に伸びた刃を有する形態の場合でも、どちらでも使用できるためには単に刃を裏返せばよい。
【００２０】
本発明の範囲は、刃がヘッド６に締結手段３０、特に、互いに離間したねじによって可撓的および／または弾性的に取り付けられることを含む。このことにより、刃８は容易に曲がる、すなわち上に曲がることができ、そのことでヘッドの端部にある入口穴および／または開口部を広げ、刃８は花茎を囲むように曲がることができる。このことで、さらに、比較的太い花茎を容易に挿入することができる。花茎が引き抜かれる時に、刃は反対方向に上に曲がり、穴または開口部を小さくして、切断工程が容易になる。剪定の時に、刃８は花茎に入り込まされ、このことにより水の吸収がさらに良くなる。また、刃の切欠き３６、および刃８の薄い厚さにより、可撓性が向上する。別の形態では、刃８の延長部４０に関連付けられる穴４４は、ねじ用のスロットとして設計され、スロットは刃先１０に平行であるので、特に薄い刃の設計の場合に、刃８が破損するのを防ぐことができる。
【００２１】
長手方向ガイド１２の特殊な形状について、図７〜図９を参照しながら説明する。長手方向軸１８を通る断面図を示す図７によれば、溝４６の底部は、長手方向軸１８に対してハンドル２の方向に傾斜した領域４８を有する曲面として設計される。底部４６は、開口部１１から、好ましくはほぼ軸方向に延在し、その後、大きく継続して移行して曲面および傾斜領域４８になる。花茎を矢印１４の方向に導入すると、茎の端部は傾斜および／または曲面領域４８に達し、そのことで花茎は曲げられて刃に案内されるが、これは図には示されていない。また、図９に示されている断面の切断平面ａ、ｂ、ｃ、ｄが描かれた図８に示されるように、曲率半径は、ハンドル２に垂直に走る断面においてハンドルの方向に向かって減少する。すなわち、ほぼ滑らかな深さおよび／または平行な側壁を有する長手方向ガイドまたは溝１２は、傾斜または曲面領域でハンドル２の方向に向かって、ガイドまたは溝１２の端部まで上昇する。この端部は、好ましくは、ヘッド６の端部近く、または狭窄領域４のヘッド６の移行部に位置する。
【００２２】
図７に示されているのは、刃８の取り付けの特殊な改良形態であり、ヘッド６がスタッド５０を有する。スタッド５０は、図示されているように、刃８の穴３１を貫通し、所定量だけ刃８の外表面より上に突出している。バネ５２はねじのヘッドと刃８の外側表面の間に配置される。したがって、刃８は定位置で配置されずに、刃が半径方向外側に動くことができるように揺動することができる、および／または揺動することができる、および／または回転運動をすることができる。その結果、刃８がバネの力に逆らって半径方向外側にそれることができるので、空洞１２の底部とバネ５２によってヘッド６に押圧される刃８との間の間隔より大きい直径および／または厚さの花茎が空洞１２に導入できることになる。
【００２３】
別の有利な実施形態では、上述のスタッドのない刃はしっかりと固定されず、むしろヘッド６に対して揺動することができる。この場合、ねじ頭は刃の外表面に完全に配置せず、刃８の運動、特に回転運動が同じように容易になるように、刃８の外表面に対して所定の短い間隔を空けて配置される。刃８の枢動点は、好ましくは、実質的にヘッド６のアンダーカット５３によって規定される。ねじには、述べられているように刃８の可動性を損なわないように、ねじ頭の下の所定間隔近く、好ましくは、刃８の近くにはねじ山がないのが有益である。この実施形態も同様に、刃８の枢動点は、好ましくは、前記アンダーカット５３で示される。
【００２４】
図１０、図１１は、フラワートリマーの特殊な形態の側面図および正面に向かう方向から見た図である。ハンドル２は、花の葉の形状に設計されており、および／または上方に、すなわち、長手方向長さの中央に向かって、狭窄領域４へと移行する。ヘッド６は、フォークおよび／またはほぼおよび／または大体Ｕ字形に設計され、刃８は上端または前端７に配置される。側部５４を有するヘッドまたはフォークは、図１０の側面図から直接わかるように、非常に薄くなるように設計され、特に、ハンドル２と比較すると、比較的低い剛性を有する。フラワートリマーは、金属刃を除いて、弾性および／または弾性／剛性材料製である。好ましい可能な材料は、頑丈なおよび／または弾性および／または弾力性のあるプラスチック、特に、例えば、ＰＯＭ、ガラス繊維強化ＰＡ、純ＰＡもしくはＰＰを含む。側面図１０のヘッド６の薄い設計および／またはわずかな材料厚５６によって、曲げ方向５８が規定されることが特に重要である。刃８および／または刃８の刃先１０の角度は、花および／または薄い水の厚さおよび／または材料を傾けることで変更可能であり、そのことにより最適な切断角にすることができる。本発明によれば、薄い壁厚のために、および／または弾力性のある設計または材料の仕様、特に、プラスチックまたは金属のために、剪定される花の剪定角度は、ハンドル２によって加えられる力を規定することによって、規定および／または変更される。刃８の先端および／または刃先１０は、好ましくは、ヘッド６および／または側部５４に合わせられることが、特に重要である。ヘッド６および／または側部５４は、引張力が加えられると真っ直ぐに伸びる。
【００２５】
本発明のフラワートリマーは、最小の壁厚および／または材料厚を特徴とするので、有利には、製造コストが低減される。薄い壁厚および／または弾力性および／または弾性のある材料、特にプラスチックとの組み合わせにより、剪定される花の剪定角度は、ハンドルによって加えられる力によって規定および／または変更できる。好ましくは、ハンドル２は、残りの面からほぼ直角に突出するエッジ６０を含み、エッジも最小の壁厚６２を有する。図１０に示されているように、葉の形状が好ましいハンドル２は、その表面に対して膨出した状態になるように設計される。したがって、ハンドル２は、狭窄領域４および／またはヘッド６よりも剛性がかなり大きい。さらに、ハンドル２は、有利には、表面に対して窪みおよび／または稜線として設計されて剛性をさらに高める、または剛性を高める代替手段であるリブ６４を含む。上述の例示的な実施形態の他の説明も同様に当てはまる。
【００２６】
図１２には、左側に、概略的に示された花６６と共にフラワートリマーが示されており、右側に、導入された花茎のあるヘッド６の領域が拡大して示されている。剪定時に、花茎に矢印６８の方向に引張力が加えられると、フラワートリマー、すなわち、ヘッド６は、曲げ方向５８に曲げられる。刃８の先端６６が側部５４に合うことが特に重要である。この場合、刃の刃先は、所定角だけ傾斜するように設計され、この角度は、好ましくは、１２°プラスまたはマイナス５°になるように規定される。
【００２７】
例示的な実施形態の１つを挙げて説明されたそれぞれの特徴は、明らかな方法、および／または各々の要件および／または要求される使用目的に応じて、本発明の範囲内の他の全ての例示的な実施形態に対しても規定されてもよいことが明確に強調される。根本の問題を解決するのに適した個々に説明された特徴の全ての組み合わせが、本発明の目的である。
【符号の説明】
【００２８】
２  ハンドル
４  狭窄領域
６  ヘッド
７  ６の前縁
８  刃
１０  刃先
１１  ６の開口部
１２  ６の空洞／長手方向ガイド／長手方向溝
１４  矢印
１６  角度
１８  長手方向軸
２０  全長
２２  凹状窪み
２４  矢印
２６  （図２の）４の材料厚
２８  （図１の）４の材料厚
３０  締結要素／ねじ
３１  ８の穴
３２  ６の延長領域
３４  ６の深さ
３６  ８の切欠き
３７  ウェブ
３８  ６の切欠き
３９、３９’  刻み目
４０  ８の一部
４１  歯
４２  ４０の長さ／突出部
４４  ８のスロット
４６  溝の底部
４８  ４６の傾斜／曲線領域
５０  スタッド
５１  スタッドの軸
５２  バネ
５３  アンダーカット
５４  ６の側部
５６  ６の材料厚
５８  曲げ方向
６０  エッジ
６２  壁厚
６４  リブ
６６  花
６８  矢印／引張力
７０  先端
【図１】
2013518567.tif 000003
【図２】
2013518567.tif 000004
【図３】
2013518567.tif 000005
【図４】
2013518567.tif 000006
【図５】
2013518567.tif 000007
【図６】
2013518567.tif 000008
【図７】
2013518567.tif 000009
【図８】
2013518567.tif 000010
【図９】
2013518567.tif 000011
【図１０】
2013518567.tif 000012
【図１１】
2013518567.tif 000013
【図１２】
2013518567.tif 000014
【国際調査報告】
2013518567.tif 000015
2013518567.tif 000016
2013518567.tif 000017
2013518567.tif 000018